(57)【要約】【課題】  本考案は、銀箔式ではない特殊印刷によるスクラッチを用いることで、環境・コスト・納期に配慮し、かつ従来のカレンダーでは得られない活用を可能とした新しいカレンダーである。【解決手段】  本考案は、銀箔式スクラッチではなく、コイン等に化学反応する特殊インキを使用することでコイン等で擦るだけで文字、絵などを浮きあがらせるスクラッチ方式を用いる。削りカスも出ず、通常の印刷工程の中でスクラッチ加工を施すため、納期の短縮、コストの減少を可能とした。スクラッチに隠された情報内容は多岐に渡り、利用者のニーズによって用途も増幅し、環境、納期、コストなどの問題点を解決するとともに商品としての魅力も有するものである。【選択図】図１
0003150434.tif 000002
【実用新案登録請求の範囲】
【請求項１】
カレンダーの日付以外の部分にスクラッチ加工を設け、
前記スクラッチ加工で覆われた前記カレンダーの部分に情報が印刷されており、
前記スクラッチ加工を固体で擦ることにより、前記情報が表れることを特徴とする、スクラッチ式コミュニケーションカレンダー。
【請求項２】
前記情報が、文字情報である、請求項１に記載のカレンダー。
【請求項３】
前記情報が、絵である、請求項１又は２に記載のカレンダー。
【請求項４】
前記情報が、２次元コードである、請求項１乃至３のいずれか１項に記載のカレンダー。
【請求項５】
前記２次元コードが、ＱＲコード（登録商標）である、請求項４に記載のカレンダー。
【請求項６】
前記情報が、１次元コードである、請求項１乃至３のいずれか１項に記載のカレンダー。
【請求項７】
前記１次元コードが、バーコードである、請求項６に記載のカレンダー。
【請求項８】
前記固体が、金属からなる、請求項１乃至７のいずれか１項に記載のカレンダー。
【請求項９】
前記固体が、コインである、請求項１乃至８のいずれか１項に記載のカレンダー。
【請求項１０】
前記スクラッチ加工が、ステルススクラッチ加工である、請求項１乃至９のいずれか１項に記載のカレンダー。
【考案の詳細な説明】
【技術分野】
【０００１】  本考案は、紙質のカレンダー内に、スクラッチ（コイン等でスクラッチ部分を擦ることにより文字、絵などが浮き出るもの）を取り入れることで日付確認以外の情報伝達をより印象的に行うことを可能としたカレンダーである。
【背景技術】
【０００２】  従来のカレンダーは日付確認が主たる用途であった。
【考案の開示】
【考案が解決しようとする課題】
【０００３】  カレンダーは日付確認用途が主であり、利用者は日付という情報を受身で得ていた。また、日付以外の情報が記載されている場合も通常印刷によるものであり、当日以外の情報をあらかじめ知り得ることができた。本考案はこの２点において改善し日付以外の情報を有効に提示する利用者参加型カレンダーへと発展させるものである。
【課題を解決するための手段】
【０００４】  本考案は、カレンダーの日付以外の部分にスクラッチ加工を設け、前記スクラッチ加工で覆われた前記カレンダーの部分に情報が印刷されており、前記スクラッチ加工を固体で擦ることにより、前記情報が表れることを特徴とする、スクラッチ式コミュニケーションカレンダーであることを要旨とする。
【考案の効果】
【０００５】  上述のように、本考案のスクラッチ加工を取り入れたカレンダーを制作することで、より生活に密着した参加型カレンダーを提供することが可能となり、家族・友人等とのコミュニケーション向上ツールとして生活に役立てることが可能となる。【０００６】  スクラッチ部分で隠された内容の効果として、カレンダー利用者に対する有益な文字情報提示の他、ＱＲコード等を印字しインターネットサイトとの接続を可能とするなどカレンダーを起点とした情報の展開が考えられる。これらにより従来の日付を確認するためのカレンダーの在り方からカレンダーを通じて情報を得るという参加型カレンダーへとカレンダーの役割を昇華するものである。
【考案を実施するための最良の形態】
【０００７】  カレンダーの日付以外の部分にスクラッチ加工し、毎日１つ擦る形態にする。
スクラッチ加工で覆われた部分の情報の内容は、日付ごとに異なり、日々新鮮な情報を提示する。
【実施例】
【０００８】  （実施例１）
幼児への知育、及び幼児と保護者とのコミュニケーション可能なカレンダー。
図１において、カレンダーの絵柄１として幼児に人気の高いキャラクターを採用し、日付の下のスクラッチ加工で隠された部分２に、言葉として幼児教育に欠かせない社会性を養う言葉等の文字を印刷し、絵柄１に登場するキャラクターがあたかも印刷された言葉を発するような体裁を取ることで、ともすれば子が嫌悪感を抱く事柄を緩和させ、幼児教育を円滑に行うことが可能となる。例えば、以下、絵柄１に印刷されたキャラクターの名前をＡとして、カレンダーを前にして、親が子に対し、「今日のＡはどんなことを言ってるかな？擦ってみようね。」と話しかけながら、今日の日付の下のスクラッチ加工２をコイン等の金属からなる固体で削り、図２に示すように、スクラッチ加工で隠されていた文字情報を表示させる。そして、「今日はねえ、幼稚園でおともだちとなかよくしなさいって言ってるよ。ちゃんとできるかな？」と子に話しかけることにより、例えば、子は、「うん。Ａが言ってるならちゃんとおともだちとなかよくするよ」などとコミュニケーションをとることが期待される。【０００９】  幼児教育の現場では、大人ならば一度で理解する事柄を繰り返し日々言い聞かせることが行われている。ともすれば保護者には疲れが生じ、幼時も反抗しがちになってしまう。しかし、本考案の実施例１に係るカレンダーを用いれば、通園前の一時でも、上述した例のようなコミュニケーションを図ることが可能となり、円滑に教育を施すことができる。また、実施例１に係るカレンダーにはシールが添付され、子がカレンダーの言葉を実施できた際には、カレンダーにシールを貼ることで、物事を成しえた時の達成感を幼児に教えることも可能となる。教育に関わる商品は枚挙に暇がないが、カレンダーというどの家庭にも必ず存在するものに、知育という性格を持たせることで、消費者に過分な経済的負担を強いず簡便に知育が行うことが可能となる。【００１０】  なお、スクラッチ加工は、実用新案登録第３１３６５４１号に開示されたコイン等の金属に化学反応するステルススクラッチ加工を用いることにより、削りカスが生じることを防ぐことが可能となる。したがって、実用新案登録第３１３６５４１号のステルススクラッチ加工を用いることにより、従来の銀箔式スクラッチでは得ることのできない環境への配慮、コスト削減、制作期間の短縮を図ることが可能となる。さらに、日付ごとに内容の異なる情報をスクラッチ化し、当日の情報を当日に得るという新鮮さを保つことも可能となる。また、図２においては、日付の下の部分３に、文字情報が印刷されている例を示したが、日付の下の部分３に、絵等を印刷し、スクラッチ加工で隠しておいてもよい。【００１１】  また、従来の銀箔式スクラッチ加工と比較して、本考案者らは、実用新案登録第３１３６５４１号のステルススクラッチ加工により、バーコード等の１次元コード又はＱＲコード（登録商標）等の２次元コードを良好に隠すことが可能であることを見出した。そのため、図１のカレンダーの日付の上方における、スクラッチ加工で隠された部分４に、図２に示すように、２次元コード５を印刷してもよい。表れた２次元コード５を携帯電話で読み取ることにより、子供に、携帯電話を通してメッセージを伝えることも可能となる。【００１２】  （実施例２）
例えば図１のスクラッチで隠された部分２に、食事の献立を印刷してもよい。あるいは、図１のスクラッチで隠された部分２に、ＱＲコード（登録商標）等の２次元コードを印刷してもよい。使用者が、日々の食事の準備をする際に、その日の日付の下のスクラッチで隠された部分２を削り、２次元コードを露出させ、当該２次元コードを携帯電話で読み取ることにより、ネットワークを介して、その日の食事の献立を入手することが可能となる。【００１３】  実施例２に係るカレンダーによれば、献立考案の責を軽減し、かつ、２次元コード等を用いることで、カレンダーとサイトと連動させ、詳細なレシピや手順などが入手可能となる。家庭において日々の献立を考えることは想像以上に労を割くことであり、それが故に献立の内容は偏り勝ちになる傾向にある。これに対し、実施例２に係るカレンダーにおいては、季節感、栄養バランスを考慮した日々異なる献立を提示することで、家庭における食卓を豊かなものとし、且つ食育をも担うことが可能となる。またスクラッチにはＱＲコード（登録商標）を記すことでサイトと連動し、不慣れな献立も簡便に実施することを可能とする。料理に関わる商品は枚挙に暇がないが、カレンダーというどの家庭にも必ず存在ものから情報を取り出せることで消費者に過分な経済的負担を強いず豊かな食卓へと導くことができる。
【図面の簡単な説明】
【００１４】
【図１】本考案のスクラッチ式コミュニケーションカレンダーの一実施例を示す図である。
【図２】スクラッチ部分をコインで擦った後の状態を示す図である。
【符号の説明】
【００１５】  １  カレンダー本体
２  特殊加工スクラッチ部分
３  ２部分をコインで擦った後の状態
【図１】
0003150434.tif 000003
【図２】
0003150434.tif 000004